(57)【要約】【課題】低コストで自然な外観を有するウィッグを提供する。【解決手段】この発明にかかるウィッグは、枠部と上記枠部内に設けられた網状体を有し、着用した際に頭頂部から前髪部にかけて開口を有するネット部と、上記ネット部の前髪側の両端を結合する結合紐体と、上記網状体に植毛された毛髪と、上記枠部の頭頂後部側に設けられた櫛状体と、上記枠部の前髪側に設けられたクリップタイプのヘアピンとを有することを特徴とするものである。【選択図】図１
2020012207.tif 000002
【特許請求の範囲】
【請求項１】
枠部と上記枠部内に設けられた網状体を有し、着用した際に頭頂部から前髪部にかけて開口を有するネット部と、
上記ネット部の前髪側の両端を結合する結合紐体と、
上記網状体に植毛された毛髪と、
上記枠部の後部側に設けられた櫛状体と、
上記枠部の前髪側から側部に設けられたクリップタイプのヘアピンと、
を有する
ことを特徴とするウィッグ。
【請求項２】
上記結合紐体は伸縮可能な素材よりなる
ことを特徴とする請求項１に記載のウィッグ。
【請求項３】
上記枠部と上記クリップタイプのヘアピンは面ファスナーにより着脱可能に固定され、且つ固定位置が変更可能である
ことを特徴とする請求項１または２に記載のウィッグ。
【請求項４】
上記毛髪は、手植えにより上記網状体に植毛されている
ことを特徴とする請求項１から３のいずれかに記載のウィッグ。
【発明の詳細な説明】
【技術分野】
【０００１】
本発明は、自毛を活かして自然な着用感を演出できるウィッグに関するものである。
【背景技術】
【０００２】
ウィッグ（かつら）は、ショートヘアをロングへアにしたり、ボリュームをアップしたり、生活シーンに応じて、簡便にヘアスタイルを変更できるおしゃれ用グッズである。あるいは、脱毛症や抗がん剤治療の際に使用する医療用のウィッグもある。
【０００３】
ウィッグの持つ大きな課題のひとつは、ウィッグを着用していることを感じさせない自然な外観をいかに演出できるかにある。自毛との調和や頭頂部のつむじの自然さをどのように表現するかは、決して容易ではない課題である。
【０００４】
個々の着用者に適用するように作られたオーダーメードのウィッグであれば、このような課題をクリアすることは困難ではないが、汎用品としてのウィッグの場合には、特に大きな課題である。
【０００５】
このような課題を解決するために、着用者の自毛を活用したウィッグが提案されている。ウィッグのアウトラインとなる周縁枠部材が無く、多くの自毛を容易に引き出すことができ、かつらの擬毛と万遍なく混ぜ合わせて自毛を有効に利用し全体として毛量を豊かにし得る、自毛活用型のウィッグである。ウィッグの隙間から装着者の自毛を引き出して、ウィッグに取り付けた擬毛と混ぜ合わせて装着する自毛活用型ウィッグにおいて、線状に形成した複数本のリブ及び線状に形成した環状の連結用リブで構成し、複数本のリブと各リブに対して二点で交差する連結用リブとを組み合わせてウィッグのアウトラインを形成しないように骨格様のフレームワークを形成し、この骨格様のフレームワークに多数の擬毛を取り付けて周縁枠を有しない植毛フレームを構成し、植毛フレームの間から出した装着者の自毛とリブに取り付けた擬毛とを混ぜ合わせて装着する（例えば、特許文献１）。
【先行技術文献】
【特許文献】
【０００６】
【特許文献１】特開２００５−３２５５０８
【発明の概要】
【発明が解決しようとする課題】
【０００７】
特許文献１に記載のウィッグは、着用者の頭部全体の自毛を活用し、ウィッグに植毛された擬毛と混ぜ合わせることで、自然な外観を生み出すことができる。しかし、複数のリブが複雑に結合したフレームが必要であり、製造コストの大幅な増加は不可避であった。
また、このような複雑な構造であるため、着用者に適したオーダーメードのフレーム設計が必要であった。
【０００８】
本発明は上記問題点を解決するためになされたものであり、通常のウィッグと同様のコストで生産可能であり、且つ汎用品として多くの着用者が自然な外観を得ることができるウィッグを提供するものである。
【課題を解決するための手段】
【０００９】
本発明に係るウィッグは、
枠部と上記枠部内に設けられた網状体を有し、着用した際に頭頂部から前髪部にかけて開口を有するネット部と、
上記ネット部の前髪側の両端を結合する結合紐体と、
上記網状体に植毛された毛髪と、
上記枠部の後部側に設けられた櫛状体と、
上記枠部の前髪側から側部に設けられたクリップタイプのヘアピンと、
を有する
ことを特徴とするものである。
【００１０】
また、本発明に係るウィッグは、
上記の結合紐体が伸縮可能な素材よりなる
ことを特徴とするものである。
【００１１】
さらに、本発明に係るウィッグは、
上記の枠部と上記クリップタイプのヘアピンは面ファスナーにより着脱可能に固定され、且つ固定位置が変更可能である
ことを特徴とするものである。
【発明の効果】
【００１２】
本発明は、ウィッグの装着時に、不自然さが感じられ、ウィッグ感が出てしまう原因を追究した結果得られたものである。ウィッグの植毛と着用者の自毛が馴染まない最大の原因は、ウィッグのつむじ部分の不自然さである。汎用品のウィッグの場合、様々な着用者すべてに合ったつむじを製作することは困難である。そこで、着用した際に頭頂部から前髪部にかけて開口を有するネット部を採用することで、着用者のつむじを活用することで、この課題を解決した。
【００１３】
また、頭頂部から前髪部分の自毛をウィッグの外に出し、ウィッグの植毛と混ぜることで、最も目立つ頭頂部から前髪部分を自然な風合いで表現できることが分かった。
これらの知見を基に得られた本発明は、以下に示す優れた特長を有している。
【００１４】
まず第一に、上述した理由で、ウィッグの植毛と着用者の自毛が馴染み、且つつむじの不自然さがない自然な外観を得ることができる汎用型のウィッグを提供できる。
第二に、ネット部の形状を変えるだけなので、製造コストの増加が無く、通常のウィッグと同等のコストで製造できる。
【００１５】
第三に、頭頂部から前髪に至るまとまった自毛をウィッグから出すだけであり、特許文献１に示した全体の自毛を外に出す必要がない。したがって、着用が容易であり、短時間で着用が完了できる。
【００１６】
第四に、通常のフルウィッグと異なる本発明のウィッグの装着時の課題を解決した。本発明のウィッグは、つむじ部分が開口しているため、通常のフルウィッグに比べて、装着時にずれやすい。また、装着者のつむじ部分を活用するため、装着者のつむじと本発明のウィッグとの微妙な位置合わせが必要となる。
そこで、結合紐体とクリップタイプのヘアピンにより、しっかりと頭部に固定し、且つ微妙な位置合わせを可能にした。特に、クリップタイプのヘアピンは取付位置を変えることができるようにしたので、着用者のつむじ位置に合うように微妙な位置決めが可能になった。そして、結合紐体を伸縮可能な素材にしたことで、本発明のウィッグから頭部前部への距離にかかわらず、結合紐体がしっかりと頭部前部に掛かり、且つ着用者が容易に装着することができ、また、装着時に結合紐体が頭部前部を圧迫することなく、良好な装着感が得られるようになった。
【００１７】
すなわち、結合紐体を伸縮可能な素材にしたこと、および、枠部とクリップタイプのヘアピンを面ファスナーにより着脱可能に固定できるようにし、且つ固定位置が変更可能にしたことで、着用者の骨格に合った３次元形態にネット部が変形し、適切な個所で取り付けることができる。これにより、着用者の骨格形態にかかわらず、より汎用的なウィッグが得られるようになった。
【００１８】
また、クリップタイプのヘアピンを面ファスナーにより着脱可能に固定できるようにしたことで、クリップタイプのヘアピンの数を装着者の好みに応じて変えることができる。クリップタイプのヘアピンの数を減らしても、伸縮可能な素材の結合紐体が頭部前部にしっかりとフィットするので、装着時のウィッグのずれを最小限に抑制できる。
【００１９】
さらに、医療用のウィッグとして使用する場合には、着用者の地毛の状態が日々変化することも多く、そのような場合でも、装着位置を微妙に変えて対応することができる。
【００２０】
以上のように、結合紐体を伸縮可能な素材にしたこと、および、枠部とクリップタイプのヘアピンを面ファスナーにより着脱可能に固定できるようにしたことにより、本発明のウィッグが持つ特有な装着時の課題を解決し、且つ汎用品でも着用者に応じた最適な着用が可能となり、装着の迅速さ、快適な装着感も得られるようになった。
【００２１】
第五に、手植えによる植毛を行っているので、機械植えに比べて、ネット部を薄くすることができる。これにより、着用者の頭の形にフィットし、着用者のつむじ部分とウィッグとの自然なフィット感も得られる。重量も軽くなり、装着時の疲労感や違和感も緩和される。
【図面の簡単な説明】
【００２２】
【図１】本発明に係るウィッグを正面から見た模式図である。
【図２】本発明に係るウィッグのネット部を裏面から見た模式図である。
【発明を実施するための形態】
【００２３】
以下において、図を用いて、本発明の実施の形態について説明を行う。以下に示す実施の形態は、本発明の一例を示すものであり、本発明はこの実施の形態に限定されるわけではない。
【００２４】
実施の形態１．
＜構成＞
図１および図２を用いて、本発明に係るウィッグの構成を説明する。図１は、ウィッグを正面から見た模式図である。また、図２はウィッグのネット部を裏面（着用時に頭部に当接する面）から見た模式図である。
【００２５】
本発明に係るウィッグは、枠部４ｂと上記枠部４ｂ内に設けられた網状体４ａを有し、着用した際に頭頂部から前髪部にかけて開口２を有するネット部４と、上記ネット部４の前髪側の両端を結合する結合紐体３と、上記網状体４ａに植毛された毛髪１と、上記枠部４ｂの後部側に設けられた櫛状体４ｄと、上記枠部４ｂの前髪側から側部に設けられたクリップタイプのヘアピン４ｃとを有している。
【００２６】
本発明における最大の特徴は、図１に示すように、頭頂部から前髪部にかけて開口２を有することである。このように開口部２を有することで、着用者のつむじを出し、且つ、着用者の頭頂部から前髪を活用した自然な外観を得ることができる。そのため、ネット部４は、図２に示すように、Ｕ字状あるいはＣ字状の形態になっている。
【００２７】
ネット部４は、枠部４ｂと、この枠部４ｂ内に設けられた網状体４ａを基体としている。そして、網状体４ａには、毛髪１が結ばれている。図２において、網状体４ａの中に示した黒丸が結び目であり、通常は複数本の毛髪がまとまって網状体４ａの網目に結び付けられている。
なお、枠部４ｂは、通常のウィッグに使用されるネット部の周囲に、面ファスナーを設けたものである。なお、毛髪１は、網状体４ａに手植えで植毛されることが望ましい。それにより、ネット部が薄くなり、且つ軽量になる。
【００２８】
ネット部４の枠部４ｂには面ファスナーが設けられている。クリップタイプのヘアピン４ｃにも面ファスナーが設けられ、枠部４ｂの任意の位置に着脱可能に固定することができる。図２においては、クリップタイプのヘアピン４ｃを６個設けているが、特に個数は６個に限定するものではない。
また、枠部４ｂの後部側には櫛状体４ｄが設けられている。クリップタイプのヘアピン４ｃと同様に、櫛状体４ｄも着脱可能にしても良いが、前髪側に比べて後部側の取り付け位置は、さほど個人差が大きくないため、枠部４ｂに縫合しても良い。
なお、クリップタイプのヘアピン４ｃとは、例えば、パッチン留め型のヘアピン等であり、地毛を簡単な操作でしっかりと挟むことができるヘアピンである。
【００２９】
結合紐体３は、ネット部４の前髪側の両端を結合する紐状体であり、伸縮可能な素材が望ましい。例えば、ゴム素材やエストラマ―素材である。
【００３０】
＜使用方法＞
本発明に係るウィッグの使用方法（着用方法）について説明する。
まず、開口２から出す頭頂部の髪をまとめる。髪は結んだり、ヘアピンで留めたりすることにより、コンパクトにまとめる。
【００３１】
次に開口２からまとめた頭頂部の髪を出しながら、ウィッグをかぶり、適切な位置で、クリップタイプのヘアピン４ｃで自毛と固定する。また、まとめた地毛を入れ込み、えりあし部分を櫛状体４ｄで固定する。 
まとめた頭頂部の髪を降ろし、ウィッグとの境目を覆うように地毛を少しずつ引き出して整える。
【００３２】
このように、ウィッグの装着は簡単な動作で行うことが可能であり、慣れれば数分程度で装着できる。
【００３３】
＜本発明のまとめ＞
本発明は、ウィッグの植毛と着用者の自毛が馴染まない原因を追究した結果得られたものである。ウィッグの植毛と着用者の自毛が馴染まない最大の原因は、ウィッグのつむじ部分の不自然さである。汎用品のウィッグの場合、様々な着用者すべてに合ったつむじを製作することは困難である。そこで、着用した際に頭頂部から前髪部にかけて開口を有するネット部を採用することで、着用者のつむじを活用することで、この課題を解決した。
【００３４】
また、頭頂部から前髪部分の自毛をウィッグの外に出し、ウィッグの植毛と混ぜることで、最も目立つ頭頂部から前髪部分を自然な風合いで表現できることが分かった。
これらの知見を基に得られた本発明は、以下に示す優れた特長を有している。
【００３５】
まず第一に、上述した理由で、ウィッグの植毛と着用者の自毛が馴染み、且つつむじの不自然さがない自然な外観を得ることができる汎用型のウィッグを提供できる。
第二に、ネット部の形状を変えるだけなので、製造コストの増加が無く、通常のウィッグと同等のコストで製造できる。
【００３６】
第三に、頭頂部から前髪に至るまとまった自毛をウィッグから出すだけであり、特許文献１に示した全体の自毛を外に出す必要がない。したがって、着用が容易であり、短時間で着用が完了できる。
【００３７】
第四に、通常のフルウィッグと異なる本発明のウィッグの装着時の課題を解決した。本発明のウィッグは、つむじ部分が開口しているため、通常のフルウィッグに比べて、装着時にずれやすい。また、装着者のつむじ部分を活用するため、装着者のつむじと本発明のウィッグとの微妙な位置合わせが必要となる。
そこで、結合紐体とクリップタイプのヘアピンにより、しっかりと頭部に固定し、且つ微妙な位置合わせを可能にした。特に、クリップタイプのヘアピンは取付位置を変えることができるようにしたので、着用者のつむじ位置に合うように微妙な位置決めが可能になった。そして、結合紐体を伸縮可能な素材にしたことで、本発明のウィッグから頭部前部への距離にかかわらず、結合紐体がしっかりと頭部前部に掛かり、且つ着用者が容易に装着することができ、また、装着時に結合紐体が頭部前部を圧迫することなく、良好な装着感が得られるようになった。
【００３８】
すなわち、結合紐体を伸縮可能な素材にしたこと、および、枠部とクリップタイプのヘアピンを面ファスナーにより着脱可能に固定できるようにし、且つ固定位置が変更可能にしたことで、着用者の骨格に合った３次元形態にネット部が変形し、適切な個所で取り付けることができる。これにより、着用者の骨格形態にかかわらず、より汎用的なウィッグが得られるようになった。
【００３９】
また、クリップタイプのヘアピンを面ファスナーにより着脱可能に固定できるようにしたことで、クリップタイプのヘアピンの数を装着者の好みに応じて変えることができる。クリップタイプのヘアピンの数を減らしても、伸縮可能な素材の結合紐体が頭部前部にしっかりとフィットするので、装着時のウィッグのずれを最小限に抑制できる。
【００４０】
さらに、医療用のウィッグとして使用する場合には、着用者の地毛の状態が日々変化することも多く、そのような場合でも、装着位置を微妙に変えて対応することができる。
【００４１】
以上のように、結合紐体を伸縮可能な素材にしたこと、および、枠部とクリップタイプのヘアピンを面ファスナーにより着脱可能に固定できるようにしたことにより、本発明のウィッグが持つ特有な装着時の課題を解決し、且つ汎用品でも着用者に応じた最適な着用が可能となり、装着の迅速さ、快適な装着感も得られるようになった。
【００４２】
第五に、手植えによる植毛を行っているので、機械植えに比べて、ネット部を薄くすることができる。これにより、着用者の頭の形にフィットし、着用者のつむじ部分とウィッグとの自然なフィット感も得られる。重量も軽くなり、装着時の疲労感や違和感も緩和される。
【符号の説明】
【００４３】
１  毛髪（疑毛）
２  開口部
３  結合紐体
４  ネット部
４ａ  網状体
４ｂ  枠部
４ｃ  クリップタイプのヘアピン（パッチン留め）
４ｄ  櫛状体
【図１】
2020012207.tif 000003
【図２】
2020012207.tif 000004